(57)【要約】【課題】カメラとアクセサリーとで別々に電圧を安定化させると、通信を行う際の入出力の電圧レベルが必ずしも一致せず、ラッチアップが発生する。【解決手段】カメラシステムにおいて、カメラ装置１とアクセサリー装置２のそれぞれに、個々の装置側の電源電圧を安定化させる電源安定化手段１０２、２０１を設ける。また、カメラ装置とアクセサリー装置のうち一方の装置に、該一方の装置における他方の装置との通信を行うための通信入力端子１０７の電圧と通信出力端子１０６の電圧とを比較して、この比較結果に基づいて上記両端子の電圧が略等しくなるように他方の装置の電源安定化手段の出力電圧を制御させる命令を他方の装置に対して送信する命令送信手段１０３を設ける。他方の装置には、上記命令に応じて該他方の装置の電源安定化手段の出力電圧を制御する電圧制御手段２０２を設ける。【選択図】　　図１
2004109692.tif 000002
【特許請求の範囲】
【請求項１】
カメラ装置と、このカメラ装置に対して着脱可能なアクセサリー装置とを有し、前記カメラ装置と前記アクセサリー装置との間で通信が可能であるカメラシステムであって、
前記カメラ装置と前記アクセサリー装置のそれぞれが、個々の装置側の電源電圧を安定化させる電源安定化手段を有しており、
前記カメラ装置と前記アクセサリー装置のうち一方の装置は、該一方の装置における前記他方の装置との通信を行うための通信入力端子の電圧と通信出力端子の電圧とを比較して、この比較結果に基づいて前記両端子の電圧が略等しくなるように前記他方の装置の電源安定化手段の出力電圧を制御させる命令を前記他方の装置に対して送信する命令送信手段を有し、
前記他方の装置は、前記命令に応じて該他方の装置の電源安定化手段の出力電圧を制御する電圧制御手段を有することを特徴とするカメラシステム。
【請求項２】
前記一方の装置は、該一方の装置の電源安定化手段の出力電圧を制御する電圧制御手段を有しており、
前記命令送信手段は、前記比較結果に応じて、前記命令を前記他方の装置に対して送信するか前記一方の装置の電圧制御手段を動作させて前記両端子の電圧を略等しくさせるかを選択することを特徴とする請求項１に記載のカメラシステム。
【請求項３】
前記命令送信手段は、前記通信入力端子の電圧が前記通信出力端子の電圧よりも高いとの比較結果に応じて、前記他方の装置の電源安定化手段の出力電圧を低下させる命令を前記他方の装置に対して送信し、前記通信出力端子の電圧が前記通信入力端子の電圧よりも高いとの比較結果に応じて、前記一方の装置の電圧制御手段を動作させて該一方の装置の電源安定化手段の出力電圧を低下させることを特徴とする請求項２に記載のカメラシステム。
【請求項４】
前記カメラ装置と前記アクセサリー装置の双方が前記命令送信手段と前記電圧制御手段とを有しており、
前記カメラ装置と前記アクセサリー装置のうち前記通信入力端子の電圧が高い側の装置の命令送信手段が、他方の装置に前記命令を送信することを特徴とする請求項１に記載のカメラシステム。
【請求項５】
カメラ側電源電圧を安定化させるカメラ電源安定化手段を有するカメラ装置であり、アクセサリー側電源電圧を安定化させるアクセサリー電源安定化手段を備えたアクセサリー装置が着脱可能に装着され、このアクセサリー装置との間で通信が可能なカメラ装置であって、
このカメラ装置における前記アクセサリー装置との通信を行うための通信入力端子の電圧と通信出力端子の電圧とを比較し、この比較結果に基づいて前記両端子の電圧が略等しくなるように前記アクセサリー電源安定化手段の出力電圧を制御させる命令を前記アクセサリー装置に対して送信する命令送信手段を有することを特徴とするカメラ装置。
【請求項６】
前記カメラ電源安定化手段の出力電圧を制御するカメラ電圧制御手段を有しており、
前記命令送信手段は、前記比較結果に応じて、前記命令を前記アクセサリー装置に対して送信するか前記カメラ電圧制御手段を動作させて前記両端子の電圧とを略等しくさせるかを選択することを特徴とする請求項５に記載のカメラ装置。
【請求項７】
前記命令送信手段は、前記通信入力端子の電圧が前記通信出力端子の電圧よりも高いとの比較結果に応じて、前記アクセサリー電源安定化手段の出力電圧を低下させる命令を前記アクセサリー装置に対して送信し、前記通信出力端子の電圧が前記通信入力端子の電圧よりも高いとの比較結果に応じて、前記カメラ電圧制御手段を動作させて前記カメラ電源安定化手段の出力電圧を低下させることを特徴とする請求項６に記載のカメラ装置。
【請求項８】
アクセサリー側電源電圧を安定化させるアクセサリー電源安定化手段を有するアクセサリー装置であり、カメラ側電源電圧を安定化させるカメラ電源安定化手段を備えたカメラ装置に着脱可能に装着され、このカメラ装置との間で通信が可能なアクセサリー装置であって、
このアクセサリー装置における前記カメラ装置との通信を行うための通信入力端子の電圧と通信出力端子の電圧とを比較し、この比較結果に基づいて前記両端子の電圧が略等しくなるように前記カメラ電源安定化手段の出力電圧を制御させる命令を前記カメラ装置に対して送信する命令送信手段を有することを特徴とするアクセサリー装置。
【請求項９】
前記アクセサリー電源安定化手段の出力電圧を制御するアクセサリー電圧制御手段を有しており、
前記命令送信手段は、前記比較結果に応じて、前記命令を前記カメラ装置に対して送信するか前記アクセサリー電圧制御手段を動作させて前記両端子の電圧を略等しくさせるかを選択することを特徴とする請求項８に記載のアクセサリー装置。
【請求項１０】
前記命令送信手段は、前記通信入力端子の電圧が前記通信出力端子の電圧よりも高いとの比較結果に応じて、前記カメラ電源安定化手段の出力電圧を低下させる命令を前記カメラ装置に対して送信し、前記通信出力端子の電圧が前記通信入力端子の電圧よりも高いとの比較結果に応じて、前記アクセサリー電圧制御手段を動作させて前記アクセサリー電源安定化手段の出力電圧を低下させることを特徴とする請求項９に記載のアクセサリー装置。
【発明の詳細な説明】
【０００１】
【発明の属する技術分野】
本発明は、相互に通信可能なカメラとこのカメラに装着されるレンズ装置等のアクセサリー装置とにより構成されるカメラシステムに関するものである。
【０００２】
【従来の技術】
従来、交換レンズへの電源は、カメラ内のＤＣ／ＤＣコンバータで安定化されてカメラ側から供給されている。このなうなカメラシステムとしては、特許文献１にて提案されているものがある。
【０００３】
但し、近年では、交換レンズの種類が多様化し、消費電力が異なる交換レンズが増えてきており、これら全ての交換レンズに対して電源を安定的に供給するためのＤＣ／ＤＣコンバータを設計するのは困難であり、コストも高くなってしまう。
【０００４】
そこで、交換レンズ内にＤＣ／ＤＣコンバータを設けることにより、カメラ内の電池から直接、電源供給を受けて、交換レンズ側で安定化して使用する構成が考えられる。このような構成とすることで、カメラ、レンズそれぞれの消費電力に適したＤＣ／ＤＣコンバータの設計が可能となるとともに、電源設計の自由度が増すというメリットもある。
【０００５】
【特許文献１】
特開平９−９０４８８号（図１）
【０００６】
【発明が解決しようとする課題】
しかしながら、このような構成でカメラ−レンズ間で通信を行う場合、カメラ内および交換レンズ内でそれぞれ別々に電圧を安定化させるため、通信を行う際の出力と入力の電圧レベルが必ずしも一致しない。そして、入出力電圧のレベルが一致しないままの状態で互いに通信を行うと、いわゆるラッチアップが引き起こされる可能性がある。
【０００７】
そこで、本発明は、カメラ装置とアクセサリー装置との間での通信を行うための通信入出力端子の電圧レベルを一致させるように電圧を制御できるようにしたカメラシステムを提供することを目的としている。
【０００８】
【課題を解決するための手段】
上記の目的を達成するために、本発明では、カメラ装置と、このカメラ装置に対して着脱可能なアクセサリー装置とを有し、カメラ装置とアクセサリー装置との間で通信が可能であるカメラシステムにおいて、カメラ装置とアクセサリー装置のそれぞれに、個々の装置側の電源電圧を安定化させる電源安定化手段を設ける。また、カメラ装置とアクセサリー装置のうち一方の装置に、該一方の装置における他方の装置との通信を行うための通信入力端子の電圧と通信出力端子の電圧とを比較して、この比較結果に基づいて上記両端子の電圧が略等しくなるように他方の装置の電源安定化手段の出力電圧を制御させる命令を他方の装置に対して送信する命令送信手段を設ける。そして、他方の装置に、上記命令に応じて該他方の装置の電源安定化手段の出力電圧を制御する電圧制御手段を設ける。
【０００９】
これにより、カメラ装置側とアクセサリー装置側にそれぞれ電源安定化手段を設けた場合でも、通信の入出力端子の電圧を互いに略等しくなるように制御することが可能となり、ラッチアップの防止に有効である。
【００１０】
なお、上記一方の装置に、該一方の装置の電源安定化手段の出力電圧を制御する電圧制御手段を設け、命令送信手段に、上記比較結果に応じて、上記命令を上記他方の装置に対して送信するか上記一方の装置の電圧制御手段を動作させて両端子の電圧を略等しくさせるかを選択させるようにしてもよい。
【００１１】
また、本発明では、カメラ側電源電圧を安定化させるカメラ電源安定化手段を有するカメラ装置であり、アクセサリー側電源電圧を安定化させるアクセサリー電源安定化手段を備えたアクセサリー装置が着脱可能に装着され、このアクセサリー装置との間で通信が可能なカメラ装置に、このカメラ装置におけるアクセサリー装置との通信を行うための通信入力端子の電圧と通信出力端子の電圧とを比較し、この比較結果に基づいて両端子の電圧が略等しくなるようにアクセサリー電源安定化手段の出力電圧を制御させる命令をアクセサリー装置に対して送信する命令送信手段を設けている。
【００１２】
さらに、本発明では、アクセサリー側電源電圧を安定化させるアクセサリー電源安定化手段を有するアクセサリー装置であり、カメラ側電源電圧を安定化させるカメラ電源安定化手段を備えたカメラ装置に着脱可能に装着され、このカメラ装置との間で通信が可能なアクセサリー装置において、このアクセサリー装置におけるカメラ装置との通信を行うための通信入力端子の電圧と通信出力端子の電圧とを比較し、この比較結果に基づいて上記両端子の電圧が略等しくなるようにカメラ電源安定化手段の出力電圧を制御させる命令をカメラ装置に対して送信する命令送信手段を設けている。
【００１３】
これら発明により、カメラ装置側とアクセサリー装置側にそれぞれ電源安定化手段を設けた場合でも、通信の入出力端子の電圧を互いに略等しくなるように制御することが可能となり、ラッチアップの防止に有効である。
【００１４】
【発明の実施の形態】
（第１実施形態）
図１には、本発明の第１実施形態であるカメラシステムの構成を示している。図１において、１はカメラであり、１０１はカメラ側の電源である電池である。１０２は電池１０１からの電源を安定した電圧として供給するためのＤＣ／ＤＣコンバータ（カメラ電源安定化手段）であり、このＤＣ／ＤＣコンバータ１０２は、カメラマイコン１０３と、不図示の制御回路を含む制御系と、アクチュエータ１０４にそれぞれ最適な電圧を供給する。
【００１５】
カメラマイコン（命令送信手段）１０３は、カメラ１内の制御を司るとともに、カメラ側信号出力端子（通信出力端子）１０６とカメラ側信号入力端子（通信入力端子）１０７の電圧を検出するＡ／Ｄ変換部１０３ａと、アクチュエータ１０４を制御する駆動制御部１０３ｂとを有している。
【００１６】
カメラ側信号出力端子１０６はカメラマイコン１０３からレンズ２側に送信される信号を出力する端子であり、カメラ側信号入力端子１０７はレンズ２からカメラマイコン１０３に送信される信号を入力する端子である。カメラ側信号出力端子１０６およびカメラ側信号入力端子１０７はそれぞれ、レンズ側信号入力端子２０５およびレンズ側信号出力端子２０６に電気的に接続され、カメラ１とレンズ２との間の通信路を形成する。
【００１７】
アクチュエータ１０４は、不図示のシャッターのチャージ動作や、クイックリターンミラーのアップ動作およびダウン動作等の駆動源となるものである。
【００１８】
１０５は交換レンズ（アクセサリー装置）２に、電池１０１からの電源を供給するためのＶＢＡＴ端子である。１０８は交換レンズ２との通信に用いられるクロック信号を出力するためのクロック信号出力端子、１０９は交換レンズ２との共通のグランド端子である。
【００１９】
交換レンズ２において、２０１はカメラ１側から供給される電池電源を安定化させてレンズ２内に供給するＤＣ／ＤＣコンバータ（アクセサリー電源安定化手段）である。ＤＣ／ＤＣコンバータ２０１は、レンズマイコン２０２と、不図示の制御回路を含む制御系と、アクチュエータ２０３にそれぞれ最適な電圧を供給する。
【００２０】
レンズマイコン２０２は交換レンズ２内の制御を司り、ＤＣ／ＤＣコンバータ２０１の出力電圧を制御する電圧制御部（電圧制御手段）２０２ａと、アクチュエータ２０３を制御する駆動制御部２０２ｂとを内蔵している。
【００２１】
アクチュエータ２０３は、不図示のフォーカスレンズの駆動や、絞りの駆動を行う駆動源となるものである。２０４はカメラ１内の電池１０１から電源の供給を受けるためのＶＢＡＴ２端子である。
【００２２】
レンズ側信号出力端子２０６はレンズマイコン２０２からカメラ１側に送信される信号を出力する端子であり、レンズ側信号入力端子２０５はカメラ１からレンズマイコン２０２に送信される信号を入力する端子である。レンズ側信号入力端子２０５およびレンズ側信号出力端子２０６は、カメラ側信号出力端子１０６とカメラ側信号入力端子１０７にそれぞれ電気的に接続され、カメラ１とレンズ２との間の通信路を形成する。
【００２３】
２０７はカメラとの通信に用いられるクロック信号を受信するクロック入力端子、２０８はカメラ１との共通グランド端子である。
【００２４】
次に、図２のフローチャートを用いて、本実施形態における電圧修正処理について説明する。なお、このフローチャートは、カメラマイコン１０３とレンズマイコン２０２のそれぞれで行われる動作を説明を分かりやすくするために一緒に示しているが、実際はカメラマイコン１０３とレンズマイコン２０２は別々のプログラムに従って動作する。
【００２５】
「ｓｔｅｐ１０１」
不図示のスイッチの操作により本処理がスタートする。
【００２６】
「ｓｔｅｐ１０２」
カメラマイコン１０３は、Ａ／Ｄ変換部１０３ａにて、カメラ側信号出力端子１０６の電圧Ａを検出する。
【００２７】
「ｓｔｅｐ１０３」
カメラマイコン１０３は、Ａ／Ｄ変換部１０３ａにて、カメラ側信号入力端子１０７の電圧Ｂを検出する。
【００２８】
「ｓｔｅｐ１０４」
カメラマイコン１０３は、ｓｔｅｐ１０２で検出した電圧Ａとｓｔｅｐ１０３で検出した電圧Ｂとを比較する。ここで、電圧Ｂの方が高ければｓｔｅｐ１０５へ、電圧Ａの方が高ければｓｔｅｐ１０７へ、電圧が等しければｓｔｅｐ１１０へ進む。なお、ここにいう電圧が等しいとは、電圧Ａと電圧Ｂの差が所定の許容幅内に入っているという意味であり、電圧Ｂの方が高いとは、電圧Ａに対して上記許容幅を超えて高いという意味である。
【００２９】
「ｓｔｅｐ１０５」
ｓｔｅｐ１０４にて電圧Ｂの方が高いと判断したので、カメラマイコン１０３は、レンズ２側での電圧の修正制御を要求するために、レンズマイコン２０２に電圧ＤＯＷＮ要求（命令）を送信する。
【００３０】
「ｓｔｅｐ１０６」
ｓｔｅｐ１０５にてカメラマイコン１０３から出力された電圧ＤＯＷＮ要求を受信したレンズマイコン２０２（電圧制御部２０２ａ）は、現在の電圧設定よりも１ｓｔｅｐ低い電圧が出力されるようにＤＣ／ＤＣコンバータ２０１を制御する。ここで、電圧制御を行っている間、レンズマイコン２０２はカメラ１へ電圧制御中であることを知らせるための信号を送信し、電圧制御中の通信を禁止する。
【００３１】
「ｓｔｅｐ１０７」
ｓｔｅｐ１０４にて電圧Ａの方が高いと判断したので、カメラマイコン１０３は、レンズ２側での電圧の修正制御を要求するために、レンズマイコン２０２に電圧ＵＰ要求（命令）を送信する。
【００３２】
「ｓｔｅｐ１０８」
ｓｔｅｐ１０７にてカメラマイコン１０３から出力された電圧ＵＰ要求を受信したレンズマイコン２０２（電圧制御部２０２ａ）は、現在の電圧設定よりも１ｓｔｅｐ高い電圧が出力されるようにＤＣ／ＤＣコンバータ２０１を制御する。ここで、電圧制御を行っている間、レンズマイコン２０２はカメラ１へ電圧制御中であることを知らせるための信号を送信し、電圧制御中の通信を禁止する。
【００３３】
「ｓｔｅｐ１０９」
ｓｔｅｐ１０６或いはｓｔｅｐ１０８でレンズ２側のＤＣ／ＤＣコンバータ２０１の出力電圧が修正されたので、カメラマイコン１０３は再びカメラ側信号入力端子１０７の電圧Ｂを検出してｓｔｅｐ１０４へ戻る。
【００３４】
このように、電圧Ａと電圧Ｂとが等しくなるまでｓｔｅｐ１０４からｓｔｅｐ１０９を繰り返す。
【００３５】
「ｓｔｅｐ１１０」
カメラ側信号出力端子１０６の電圧Ａとカメラ側信号入力端子１０７の電圧Ｂとが等しくなったので、本処理を終了する。
【００３６】
以上説明したように、本実施形態おいては、カメラマイコン１０３にてカメラ側信号出力端子１０６の電圧Ａとカメラ側信号入力端子１０７の電圧Ｂとを検出比較し、その比較結果に応じてレンズマイコン２０２にＤＣ／ＤＣコンバータ２０１の出力電圧を制御させ、電圧Ａと電圧Ｂとを等しくしているので、ラッチアップ等の発生を回避することができる。
【００３７】
（第２実施形態）
図３には、本発明の第２実施形態であるカメラシステムの構成を示している。図３において、３はカメラであり、３０１はカメラ側の電源である電池である。３０２は電池３０１からの電源を安定した電圧として供給するためのＤＣ／ＤＣコンバータ（カメラ電源安定化手段）であり、このＤＣ／ＤＣコンバータ３０２は、カメラマイコン３０３と、不図示の制御回路を含む制御系と、アクチュエータ３０４にそれぞれ最適な電圧を供給する。
【００３８】
カメラマイコン３０３はカメラ３内の制御を司るものであり、ＤＣ／ＤＣコンバータ３０２の出力電圧を制御する電圧制御部（電圧制御手段）３０３ａと、アクチュエータ３０４を制御する駆動制御部３０３ｂとを内蔵している。
【００３９】
アクチュエータ３０４は、不図示のシャッターのチャージ動作や、クイックリターンミラーのアップ動作およびダウン動作等の駆動源となるものである。
【００４０】
３０５は交換レンズ（アクセサリー装置）４に、電池３０１からの電源を供給するためのＶＢＡＴ端子である。
【００４１】
カメラ側信号出力端子３０６はカメラマイコン３０３からレンズ４側に送信される信号を出力する端子であり、カメラ側信号入力端子３０７はレンズ４からカメラマイコン３０３に送信される信号を入力する端子である。カメラ側信号出力端子３０６およびカメラ側信号入力端子３０７はそれぞれ、レンズ側信号入力端子４０５およびレンズ側信号出力端子４０６に電気的に接続され、カメラ３とレンズ４との間の通信路を形成する。
【００４２】
３０８は交換レンズ４との通信に用いられるクロック信号を出力するためのクロック信号出力端子、３０９は交換レンズ４との共通のグランド端子である。
【００４３】
交換レンズ４において、４０１はカメラ３側から供給される電池電源を安定化させてレンズ２内に供給するＤＣ／ＤＣコンバータ（アクセサリー電源安定化手段）である。ＤＣ／ＤＣコンバータ４０１は、レンズマイコン４０２と、不図示の制御回路を含む制御系と、アクチュエータ４０３にそれぞれ最適な電圧を供給する。
【００４４】
レンズマイコン４０２は、レンズ４内の制御を司るとともに、レンズ側信号出力端子４０６とレンズ側信号入力端子４０５の電圧を検出するＡ／Ｄ変換部４０２ａと、アクチュエータ４０３を制御する駆動制御部４０２ｂとを有している。レンズ側信号出力端子４０６とレンズ側信号入力端子４０５はそれぞれ、カメラ側信号入力端子３０７およびレンズ側信号出力端子３０６に電気的に接続され、カメラ３とレンズ４との間の通信路を形成する。
【００４５】
アクチュエータ４０３は、不図示のフォーカスレンズの駆動や、絞りの駆動を行う駆動源となるものである。４０４はカメラ３内の電池３０１から電源の供給を受けるためのＶＢＡＴ２端子である。レンズ側信号入力端子４０５およびレンズ側信号出力端子４０６は、カメラ側信号出力端子３０６とカメラ側信号入力端子３０７にそれぞれ電気的に接続され、カメラ３とレンズ４との間の通信路を形成する。
【００４６】
４０７はカメラとの通信に用いられるクロック信号を受信するクロック入力端子、４０８はカメラ３との共通のグランド端子である。
【００４７】
次に、図４のフローチャートを用いて、本実施形態における信号電圧修正処理について説明する。なお、このフローチャートは、カメラマイコン３０３とレンズマイコン４０２のそれぞれで行われる動作を説明を分かりやすくするために一緒に示しているが、実際はカメラマイコン３０３とレンズマイコン４０２は別々のプログラムに従って動作する。
【００４８】
「ｓｔｅｐ２０１」
不図示のスイッチの操作により本処理がスタートする。
【００４９】
「ｓｔｅｐ２０２」
レンズマイコン４０２は、Ａ／Ｄ変換部４０２ａにてレンズ側信号出力端子４０６の電圧Ａを検出する。
【００５０】
「ｓｔｅｐ２０３」
レンズマイコン４０２は、Ａ／Ｄ変換部４０２ａにてレンズ側信号入力端子４０５の電圧Ｂを検出する。
【００５１】
「ｓｔｅｐ２０４」
レンズマイコン４０２は、ｓｔｅｐ２０２で検出した電圧Ａとｓｔｅｐ２０３で検出した電圧Ｂとを比較して、電圧Ｂの方が高ければｓｔｅｐ２０５へ、電圧Ａの方が高ければｓｔｅｐ２０７へ、電圧が等しければｓｔｅｐ２１０へ進む。なお、ここにいう電圧が等しいとは、電圧Ａと電圧Ｂの差が所定の許容幅内に入っているという意味であり、電圧Ｂの方が高いとは、電圧Ａに対して上記許容幅を超えて高いという意味である。
【００５２】
「ｓｔｅｐ２０５」
ｓｔｅｐ２０４にて電圧Ｂの方が高いと判断されたので、レンズマイコン４０２は、カメラ３側での電圧の修正制御を要求するために、カメラマイコン３０３に電圧ＤＯＷＮ要求（命令）を送信する。
【００５３】
「ｓｔｅｐ２０６」
ｓｔｅｐ２０５にてレンズ４から出力された電圧ＤＯＷＮ要求を受信したカメラマイコン３０３（電圧制御部３０３ａ）は、現在の電圧設定よりも１ｓｔｅｐ低い電圧が出力されるようにＤＣ／ＤＣコンバータ３０２を制御する。ここで、電圧制御を行っている間、カメラマイコン３０３はレンズ４へ電圧制御中であることを知らせるための信号を送信し、電圧制御中の通信を禁止する。
【００５４】
「ｓｔｅｐ２０７」
ｓｔｅｐ２０４にて電圧Ａの方が高いと判断されたので、レンズマイコン４０２は、カメラ３側での電圧の修正制御を要求するために、カメラマイコン３０３に電圧ＵＰ要求（命令）を送信する。
【００５５】
「ｓｔｅｐ２０８」
ｓｔｅｐ２０７にてレンズ４から出力された電圧ＵＰ要求を受信したカメラマイコン３０３（電圧制御部３０３ａ）は、現在の電圧設定よりも１ｓｔｅｐ高い電圧が出力されるようにＤＣ／ＤＣコンバータ３０２を制御する。電圧制御を行っている間、カメラマイコン３０３はレンズへ電圧制御中であることを知らせるための信号を送信し、電圧制御中の通信を禁止する。
【００５６】
「ｓｔｅｐ２０９」
ｓｔｅｐ２０６或いはｓｔｅｐ２０８でカメラ３側のＤＣ／ＤＣコンバータ３０２の出力電圧が修正されたので、レンズマイコン４０２は、再びレンズ側信号入力端子４０５の電圧Ｂを検出し、ｓｔｅｐ２０４へ戻る。
【００５７】
このようにして、電圧Ａと電圧Ｂが等しくなるまでｓｔｅｐ２０４からｓｔｅｐ２０９を繰り返す。
【００５８】
「ｓｔｅｐ２１０」
レンズ側通信出力端子４０６の電圧Ａとレンズ側通信入力端子４０５の電圧Ｂとが等しくなったので、本処理を終了する。
【００５９】
以上説明したように、本実施形態おいては、レンズマイコン４０２にてレンズ側信号出力端子４０６の電圧Ａとレンズ側信号入力端子４０５の電圧Ｂとを検出比較し、その比較結果に応じてカメラマイコン３０３にＤＣ／ＤＣコンバータ３０２の出力電圧を制御させ、電圧Ａと電圧Ｂとを等しくしているので、ラッチアップ等の発生を回避することができる。
【００６０】
（第３実施形態）
図５には、本発明の第３実施形態であるカメラシステムの構成を示している。図５において、５はカメラであり、５０１はカメラ側の電源である電池である。５０２は電池５０１からの電源を安定した電圧として供給するためのＤＣ／ＤＣコンバータ（カメラ電源安定化手段）であり、このＤＣ／ＤＣコンバータ５０２は、カメラマイコン５０３と、不図示の制御回路を含む制御系と、アクチュエータ５０４にそれぞれ最適な電圧を供給する。
【００６１】
カメラマイコン（命令送信手段）５０３は、カメラ５内の制御を司るとともに、カメラ側信号出力端子（通信出力端子）５０６とカメラ側信号入力端子（通信入力端子）５０７の電圧を検出するＡ／Ｄ変換部５０３ａと、アクチュエータ１０４を制御する駆動制御部５０３ｂと、ＤＣ／ＤＣコンバータ５０２の出力電圧を制御する電圧制御部（電圧制御手段）５０３ｃとを有している。
【００６２】
カメラ側信号出力端子５０６はカメラマイコン５０３からレンズ２側に送信される信号を出力する端子であり、カメラ側信号入力端子５０７はレンズ２からカメラマイコン５０３に送信される信号を入力する端子である。カメラ側信号出力端子５０６およびカメラ側信号入力端子５０７はそれぞれ、レンズ側信号入力端子２０５およびレンズ側信号出力端子２０６に電気的に接続され、カメラ５とレンズ２との間の通信路を形成する。
【００６３】
アクチュエータ５０４は、不図示のシャッターのチャージ動作や、クイックリターンミラーのアップ動作およびダウン動作等の駆動源となるものである。
【００６４】
５０５は交換レンズ（アクセサリー装置）２に、電池５０１からの電源を供給するためのＶＢＡＴ端子である。５０８は交換レンズ２との通信に用いられるクロック信号を出力するためのクロック信号出力端子、５０９は交換レンズ２との共通のグランド端子である。
【００６５】
交換レンズ２において、２０１はカメラ５側から供給される電池電源を安定化させてレンズ２内に供給するＤＣ／ＤＣコンバータ（アクセサリー電源安定化手段）である。ＤＣ／ＤＣコンバータ２０１は、レンズマイコン２０２と、不図示の制御回路を含む制御系と、アクチュエータ２０３にそれぞれ最適な電圧を供給する。
【００６６】
レンズマイコン２０２は交換レンズ２内の制御を司り、ＤＣ／ＤＣコンバータ２０１の出力電圧を制御する電圧制御部（電圧制御手段）２０２ａと、アクチュエータ２０３を制御する駆動制御部２０２ｂとを内蔵している。
【００６７】
アクチュエータ２０３は、不図示のフォーカスレンズの駆動や、絞りの駆動を行う駆動源となるものである。２０４はカメラ５内の電池５０１から電源の供給を受けるためのＶＢＡＴ２端子である。
【００６８】
レンズ側信号出力端子２０６はレンズマイコン２０２からカメラ５側に送信される信号を出力する端子であり、レンズ側信号入力端子２０５はカメラ５からレンズマイコン２０２に送信される信号を入力する端子である。レンズ側信号入力端子２０５およびレンズ側信号出力端子２０６は、カメラ側信号出力端子５０６とカメラ側信号入力端子５０７にそれぞれ電気的に接続され、カメラ５とレンズ２との間の通信路を形成する。
【００６９】
２０７はカメラ５との通信に用いられるクロック信号を受信するクロック入力端子、２０８はカメラ５との共通グランド端子である。
【００７０】
次に、図６のフローチャートを用いて、本実施形態における電圧修正処理について説明する。なお、このフローチャートは、カメラマイコン５０３とレンズマイコン２０２のそれぞれで行われる動作を説明を分かりやすくするために一緒に示しているが、実際はカメラマイコン５０３とレンズマイコン２０２は別々のプログラムに従って動作する。
【００７１】
「ｓｔｅｐ３０１」
不図示のスイッチの操作により本処理がスタートする。
【００７２】
「ｓｔｅｐ３０２」
カメラマイコン５０３は、Ａ／Ｄ変換部５０３ａにて、カメラ側信号出力端子５０６の電圧Ａを検出する。
【００７３】
「ｓｔｅｐ３０３」
カメラマイコン５０３は、Ａ／Ｄ変換部５０３ａにて、カメラ側信号入力端子５０７の電圧Ｂを検出する。
【００７４】
「ｓｔｅｐ３０４」
カメラマイコン５０３は、ｓｔｅｐ３０２で検出した電圧Ａとｓｔｅｐ３０３で検出した電圧Ｂとを比較して、電圧Ｂの方が高ければｓｔｅｐ３０５へ、電圧Ａの方が高ければｓｔｅｐ３０８へ、電圧が等しければｓｔｅｐ３０９へ進む。なお、ここにいう電圧が等しいとは、電圧Ａと電圧Ｂの差が所定の許容幅内に入っているという意味であり、電圧Ｂの方が高いとは、電圧Ａに対して上記許容幅を超えて高いという意味である。
【００７５】
「ｓｔｅｐ３０５」
ｓｔｅｐ３０４にて電圧Ｂの方が高いと判断されたので、カメラマイコン５０３はレンズ２側での電圧の修正制御を要求するために、レンズマイコン２０２へ電圧ＤＯＷＮ要求（命令）を送信する。
【００７６】
「ｓｔｅｐ３０６」
ｓｔｅｐ３０５にてカメラマイコン５０３から送信された電圧ＤＯＷＮ要求を受信したレンズマイコン２０２は、現在の電圧設定よりも１ｓｔｅｐ低い電圧が出力されるようにＤＣ／ＤＣコンバータ２０１を制御する。ここで、電圧制御を行っている間、レンズマイコン２０２はカメラ５へ電圧制御中であることを知らせるための信号を送信し、電圧制御中の通信を禁止する。
【００７７】
「ｓｔｅｐ３０７」
ｓｔｅｐ３０６でレンズ２側のＤＣ／ＤＣコンバータ２０１の出力電圧が修正されたので、カメラマイコン５０３は、再びカメラ側信号入力端子５０７の電圧Ｂを検出し、ｓｔｅｐ３０４へ戻る。
【００７８】
このように、電圧Ｂの方が高い場合は、電圧Ａと電圧Ｂが等しくなるまでｓｔｅｐ３０４からｓｔｅｐ３０７を繰り返す。
【００７９】
「ｓｔｅｐ３０８」
ｓｔｅｐ３０４にて電圧Ａの方が高いと判断されたので、カメラマイコン５０３は、電圧Ａと電圧Ｂが等しくなるようにカメラ５側のＤＣ／ＤＣコンバータ５０２の出力電圧を制御する。
【００８０】
「ｓｔｅｐ３０９」
カメラ側通信出力端子５０６の電圧Ａとカメラ側通信入力端子５０７の電圧Ｂが等しくなったので、本処理を終了する。
【００８１】
以上説明したように、本実施形態おいては、カメラマイコン５０３にてカメラ側信号出力端子５０６の電圧Ａとカメラ側信号入力端子５０７の電圧Ｂとを検出比較し、電圧Ｂが高ければレンズ２側のＤＣ／ＤＣコンバータ２０２の出力電圧を制御させ、電圧Ａが高ければカメラ５側のＤＣ／ＤＣコンバータ５０２の出力電圧を制御させることにより、電圧Ａと電圧Ｂとを等しくしている。すなわち、必ず、電圧Ａと電圧Ｂのうち高い方を低い方に合わせるようにしている。
【００８２】
このため、第１および第２実施形態と同様に、ラッチアップ等の発生を回避することができるとともに、消費電力の節約にも効果がある。
【００８３】
（第４実施形態）
図７には、本発明の第４実施形態であるカメラシステムの構成を示している。図７において、３はカメラであり、３０１はカメラ側の電源である電池である。３０２は電池３０１からの電源を安定した電圧として供給するためのＤＣ／ＤＣコンバータ（カメラ電源安定化手段）であり、このＤＣ／ＤＣコンバータ３０２は、カメラマイコン３０３と、不図示の制御回路を含む制御系と、アクチュエータ３０４にそれぞれ最適な電圧を供給する。
【００８４】
カメラマイコン３０３はカメラ３内の制御を司るものであり、ＤＣ／ＤＣコンバータ３０２の出力電圧を制御する電圧制御部（電圧制御手段）３０３ａと、アクチュエータ３０４を制御する駆動制御部３０３ｂとを内蔵している。
【００８５】
アクチュエータ３０４は、不図示のシャッターのチャージ動作や、クイックリターンーのアップ動作およびダウン動作等の駆動源となるものである。
【００８６】
３０５は交換レンズ（アクセサリー装置）６に、電池３０１からの電源を供給するためのＶＢＡＴ端子である。
【００８７】
カメラ側信号出力端子３０６はカメラマイコン３０３からレンズ６側に送信される信号を出力する端子であり、カメラ側信号入力端子３０７はレンズ６からカメラマイコン３０３に送信される信号を入力する端子である。カメラ側信号出力端子３０６およびカメラ側信号入力端子３０７はそれぞれ、レンズ側信号入力端子６０５およびレンズ側信号出力端子６０６に電気的に接続され、カメラ３とレンズ４との間の通信路を形成する。
【００８８】
３０８は交換レンズ６との通信に用いられるクロック信号を出力するためのクロック信号出力端子、３０９は交換レンズ６との共通のグランド端子である。
【００８９】
交換レンズ６において、６０１はカメラ３側から供給される電池電源を安定化させてレンズ６内に供給するＤＣ／ＤＣコンバータ（アクセサリー電源安定化手段）である。ＤＣ／ＤＣコンバータ６０１は、レンズマイコン６０２と、不図示の制御回路を含む制御系と、アクチュエータ６０３にそれぞれ最適な電圧を供給する。
【００９０】
レンズマイコン６０２は交換レンズ６内の制御を司り、レンズ側信号出力端子６０６とレンズ側信号入力端子６０５の電圧を検出するＡ／Ｄ変換部６０２ａと、アクチュエータ６０３を制御する駆動制御部６０２ｂと、ＤＣ／ＤＣコンバータ６０１の出力電圧を制御する電圧制御部（電圧制御手段）６０２ｃとを内蔵している。
【００９１】
アクチュエータ６０３は、不図示のフォーカスレンズの駆動や、絞りの駆動を行う駆動源となるものである。６０４はカメラ３内の電池３０１から電源の供給を受けるためのＶＢＡＴ２端子である。
【００９２】
レンズ側信号出力端子６０６はレンズマイコン６０２からカメラ３側に送信される信号を出力する端子であり、レンズ側信号入力端子６０５はカメラ３からレンズマイコン６０２に送信される信号を入力する端子である。レンズ側信号入力端子６０５およびレンズ側信号出力端子６０６は、カメラ側信号出力端子３０６とカメラ側信号入力端子３０７にそれぞれ電気的に接続され、カメラ３とレンズ６との間の通信路を形成する。
【００９３】
６０７はカメラ３との通信に用いられるクロック信号を受信するクロック入力端子、６０８はカメラ３との共通グランド端子である。
【００９４】
次に、図８のフローチャートを用いて、本実施形態における電圧修正処理について説明する。なお、このフローチャートは、カメラマイコン３０３とレンズマイコン６０２のそれぞれで行われる動作を説明を分かりやすくするために一緒に示しているが、実際はカメラマイコン３０３とレンズマイコン６０２は別々のプログラムに従って動作する。
【００９５】
「ｓｔｅｐ４０１」
不図示のスイッチの操作により本処理がスタートする。
【００９６】
「ｓｔｅｐ４０２」
レンズマイコン６０２は、Ａ／Ｄ変換部６０２ａにて、レンズ側信号出力端子６０６の電圧Ａを検出する。
【００９７】
「ｓｔｅｐ４０３」
レンズマイコン６０２は、Ａ／Ｄ変換部６０２ａにて、レンズ側信号入力端子６０５の電圧Ｂを検出する。
【００９８】
「ｓｔｅｐ４０４」
レンズマイコン６０２は、ｓｔｅｐ４０２で検出した電圧Ａとｓｔｅｐ４０３で検出した電圧Ｂとを比較して、電圧Ｂの方が高ければｓｔｅｐ４０５へ、電圧Ａの方が高ければｓｔｅｐ４０８へ、電圧が等しければｓｔｅｐ４０９へ進む。なお、ここにいう電圧が等しいとは、電圧Ａと電圧Ｂの差が所定の許容幅内に入っているという意味であり、電圧Ｂの方が高いとは、電圧Ａに対して上記許容幅を超えて高いという意味である。
【００９９】
「ｓｔｅｐ４０５」
ｓｔｅｐ４０４にて電圧Ｂの方が高いと判断されたので、レンズマイコン６０２は、カメラ３側での電圧の修正制御を要求するために、カメラマイコン３０３へ電圧ＤＯＷＮ要求（命令）を送信する。
【０１００】
「ｓｔｅｐ４０６」
ｓｔｅｐ４０５にてレンズマイコン６０２から送信された電圧ＤＯＷＮ要求を受信したカメラマイコン３０３は、現在の電圧設定よりも１ｓｔｅｐ低い電圧が出力されるようにＤＣ／ＤＣコンバータ３０２を制御する。なお、電圧制御を行っている間、カメラマイコン３０３はレンズ６へ電圧制御中であることを知らせるための信号を出力し、電圧制御中の通信を禁止する。
【０１０１】
「ｓｔｅｐ４０７」
ｓｔｅｐ４０６でカメラ３側のＤＣ／ＤＣコンバータ３０２の出力電圧が修正されたので、レンズマイコン６０２は、再びレンズ側信号入力端子６０５の電圧Ｂを検出し、ｓｔｅｐ４０４へ戻る。
【０１０２】
このように、電圧Ｂの方が高い場合は、電圧Ａと電圧Ｂが等しくなるまでｓｔｅｐ４０４からｓｔｅｐ４０７を繰り返す。
【０１０３】
「ｓｔｅｐ４０８」
ｓｔｅｐ４０４にて電圧Ａの方が高いと判断されたので、レンズマイコン６０２は、電圧Ａと電圧Ｂが等しくなるようにレンズ６側のＤＣ／ＤＣコンバータ６０１の出力電圧を制御する。
【０１０４】
「ｓｔｅｐ４０９」
レンズ側通信出力端子６０６の電圧Ａとレンズ側通信入力端子６０５の電圧Ｂが等しくなったので、本処理を終了する。
【０１０５】
以上説明したように、本実施形態おいては、レンズマイコン６０２にてレンズ側信号出力端子６０６の電圧Ａとレンズ側信号入力端子６０５の電圧Ｂとを検出比較し、電圧Ｂが高ければカメラ３側のＤＣ／ＤＣコンバータ３０２の出力電圧を制御させ、電圧Ａが高ければレンズ６側のＤＣ／ＤＣコンバータ６０１の出力電圧を制御させることにより、電圧Ａと電圧Ｂとを等しくしている。すなわち、必ず、電圧Ａと電圧Ｂのうち高い方を低い方に合わせるようにしている。
【０１０６】
このため、第１および第２実施形態と同様に、ラッチアップ等の発生を回避することができるとともに、消費電力の節約にも効果がある。
【０１０７】
（第５実施形態）
図９には、本発明の第５実施形態であるカメラシステムの構成を示している。図９において、５はカメラであり、５０１はカメラ側の電源である電池である。５０２は電池５０１からの電源を安定した電圧として供給するためのＤＣ／ＤＣコンバータ（カメラ電源安定化手段）であり、このＤＣ／ＤＣコンバータ５０２は、カメラマイコン５０３と、不図示の制御回路を含む制御系と、アクチュエータ５０４にそれぞれ最適な電圧を供給する。
【０１０８】
カメラマイコン（命令送信手段）５０３は、カメラ５内の制御を司るとともに、カメラ側信号出力端子（通信出力端子）５０６とカメラ側信号入力端子（通信入力端子）５０７の電圧を検出するＡ／Ｄ変換部５０３ａと、アクチュエータ５０４を制御する駆動制御部５０３ｂと、ＤＣ／ＤＣコンバータ５０２の出力電圧を制御する電圧制御部（電圧制御手段）５０３ｃとを有している。
【０１０９】
カメラ側信号出力端子５０６はカメラマイコン５０３からレンズ６側に送信される信号を出力する端子であり、カメラ側信号入力端子５０７はレンズ６からカメラマイコン５０３に送信される信号を入力する端子である。カメラ側信号出力端子５０６およびカメラ側信号入力端子５０７はそれぞれ、レンズ側信号入力端子６０５およびレンズ側信号出力端子６０６に電気的に接続され、カメラ５とレンズ６との間の通信路を形成する。
【０１１０】
アクチュエータ５０４は、不図示のシャッターのチャージ動作や、クイックリターンミラーのアップ動作およびダウン動作等の駆動源となるものである。
【０１１１】
５０５は交換レンズ（アクセサリー装置）６に、電池５０１からの電源を供給するためのＶＢＡＴ端子である。５０８は交換レンズ６との通信に用いられるクロック信号を出力するためのクロック信号出力端子、５０９は交換レンズ６との共通のグランド端子である。
【０１１２】
交換レンズ６において、６０１はカメラ５側から供給される電池電源を安定化させてレンズ６内に供給するＤＣ／ＤＣコンバータ（アクセサリー電源安定化手段）である。ＤＣ／ＤＣコンバータ６０１は、レンズマイコン６０２と、不図示の制御回路を含む制御系と、アクチュエータ６０３にそれぞれ最適な電圧を供給する。
【０１１３】
レンズマイコン６０２は交換レンズ６内の制御を司り、レンズ側信号出力端子６０６とレンズ側信号入力端子６０５の電圧を検出するＡ／Ｄ変換部６０２ａと、アクチュエータ６０３を制御する駆動制御部６０２ｂと、ＤＣ／ＤＣコンバータ６０１の出力電圧を制御する電圧制御部（電圧制御手段）６０２ｃとを内蔵している。
【０１１４】
アクチュエータ６０３は、不図示のフォーカスレンズの駆動や、絞りの駆動を行う駆動源となるものである。６０４はカメラ３内の電池５０１から電源の供給を受けるためのＶＢＡＴ２端子である。
【０１１５】
レンズ側信号出力端子６０６はレンズマイコン６０２からカメラ５側に送信される信号を出力する端子であり、レンズ側信号入力端子６０５はカメラ５からレンズマイコン６０２に送信される信号を入力する端子である。レンズ側信号入力端子６０５およびレンズ側信号出力端子６０６は、カメラ側信号出力端子５０６とカメラ側信号入力端子５０７にそれぞれ電気的に接続され、カメラ５とレンズ６との間の通信路を形成する。
【０１１６】
６０７はカメラ５との通信に用いられるクロック信号を受信するクロック入力端子、６０８はカメラ５との共通グランド端子である。
【０１１７】
次に、図１０のフローチャートを用いて、本実施形態における電圧修正処理について説明する。なお、このフローチャートは、カメラマイコン５０３とレンズマイコン６０２のそれぞれで行われる動作を説明を分かりやすくするために一緒に示しているが、実際はカメラマイコン５０３とレンズマイコン６０２は別々のプログラムに従って動作する。
【０１１８】
「ｓｔｅｐ５０１」
不図示のスイッチの操作により本処理がスタートする。
【０１１９】
「ｓｔｅｐ５０２」
カメラマイコン５０３は、Ａ／Ｄ変換部５０３ａにて、カメラ側信号出力端子５０６の電圧Ａを検出する。
【０１２０】
「ｓｔｅｐ５０３」
カメラマイコン５０３は、Ａ／Ｄ変換部５０３ａにて、カメラ側信号入力端子５０７の電圧Ｂを検出する。
【０１２１】
「ｓｔｅｐ５０４」
カメラマイコン５０３は、ｓｔｅｐ５０２で検出した電圧Ａとｓｔｅｐ５０３で検出した電圧Ｂとを比較して、電圧Ｂの方が高ければｓｔｅｐ５０５へ、電圧Ａの方が高ければｓｔｅｐ５０９へ、電圧が等しければｓｔｅｐ５１０へ進む。なお、ここにいう電圧が等しいとは、電圧Ａと電圧Ｂの差が所定の許容幅内に入っているという意味であり、電圧Ｂの方が高いとは、電圧Ａに対して上記許容幅を超えて高いという意味である。
【０１２２】
「ｓｔｅｐ５０５」
ｓｔｅｐ５０４にて電圧Ｂの方が高いと判断されたので、カメラマイコン５０３はレンズ６側での電圧の修正制御を要求するために、レンズマイコン６０２へ電圧修正要求（命令）を送信する。
【０１２３】
「ｓｔｅｐ５０６」
カメラマイコン５０３から送信された電圧修正要求を受信したレンズマイコン６０２は、Ａ／Ｄ変換部６０２ａにて、レンズ側信号出力端子６０６の電圧Ａ’（＝電圧Ｂ）を検出する。
【０１２４】
「ｓｔｅｐ５０７」
レンズマイコン６０２は、Ａ／Ｄ変換部６０２ａにて、レンズ側信号入力端子６０５の電圧Ｂ’（＝電圧Ａ）を検出する。
【０１２５】
「ｓｔｅｐ５０８」
レンズマイコン６０２は、ｓｔｅｐ５０５およびｓｔｅｐ５０６にて検出した電圧Ａ’と電圧Ｂ’の検出結果に基づいて、電圧Ａ’と電圧Ｂ’とが等しくなるように（ここでは、レンズ側信号出力端子６０６の電圧Ａ’（＝電圧Ｂ）を電圧Ｂ’（＝電圧Ａ）まで低くするように）、ＤＣ／ＤＣコンバータ６０１の出力電圧を制御する。電圧制御を行っている間、レンズマイコン６０２はカメラ５へ電圧制御中であることを知らせるための信号を出力し、電圧制御中の通信を禁止する。
【０１２６】
「ｓｔｅｐ５０９」
ｓｔｅｐ５０４にて電圧Ａの方が高いと判断されたので、カメラマイコン５０３は電圧Ａと電圧Ｂが等しくなるようにＤＣ／ＤＣコンバータ５０２の出力電圧を制御する。電圧制御を行っている間、カメラマイコン５０３はレンズ６へ電圧制御中であることを知らせるための信号を出力し、電圧制御中の通信を禁止する。
【０１２７】
「ｓｔｅｐ５１０」
カメラ側通信出力端子５０６の電圧Ａとカメラ側通信入力端子５０７の電圧Ｂとが等しくなったので、本処理を終了する。
【０１２８】
以上説明したように、本実施形態においては、カメラマイコン５０３にてカメラ側信号出力端子５０６の電圧Ａとカメラ側信号入力端子５０７の電圧Ｂとを検出し、レンズマイコン６０２ではレンズ側信号出力端子６０６の電圧Ａ’とレンズ側信号入力端子６０５の電圧Ｂ’とを検出し、最も低い電圧に合わせるようにＤＣ／ＤＣコンバータ５０２の出力電圧又はＤＣ／ＤＣコンバータ６０１の出力電圧を制御するので、第１および第２実施形態と同様に、ラッチアップ等の発生を回避することができるとともに、消費電力の節約にも効果がある。
【０１２９】
なお、上記各実施形態では、アクセサリー装置として交換レンズを用いたカメラシステムについて説明したが、本発明は、交換レンズ以外のアクセサリー装置、例えばストロボ装置をカメラ（レンズ一体型カメラも含む）と組み合わせたカメラシステムにも適用することができる。
【０１３０】
【発明の効果】
以上説明したように、本発明によれば、カメラ装置側とアクセサリー装置側にそれぞれ電源安定化手段を設けた場合でも、通信の入出力端子の電圧を互いに略等しくなるように制御することができ、ラッチアップを確実に防止することができる。したがって、カメラ装置とアクセサリー装置間の通信がスムーズかつ正確に行え、カメラ撮影を常に適正に行うことができる。
【図面の簡単な説明】
【図１】本発明の第１実施形態であるカメラシステムのブロック図。
【図２】上記第１実施形態のカメラシステムの電圧修正処理を示すフローチャート。
【図３】本発明の第２実施形態であるカメラシステムのブロック図。
【図４】上記第２実施形態のカメラシステムの電圧修正処理を示すフローチャート。
【図５】本発明の第３実施形態であるカメラシステムのブロック図。
【図６】上記第３実施形態のカメラシステムの電圧修正処理を示すフローチャート。
【図７】本発明の第４実施形態であるカメラシステムのブロック図。
【図８】上記第４実施形態のカメラシステムの電圧修正処理を示すフローチャート。
【図９】本発明の第５実施形態であるカメラシステムのブロック図。
【図１０】上記第５実施形態のカメラシステムの電圧修正処理を示すフローチャート。
【符号の説明】
１、３、５　　カメラ
２、４、６　　交換レンズ
１０１、３０１、５０１　　電池
１０２、３０２、５０２　　ＤＣ／ＤＣコンバータ
１０３、３０３、５０３　　カメラマイコン
１０４、３０４、５０４　　アクチュエータ
１０６、３０６、５０６　　カメラ側信号出力端子
１０７、３０７、５０７　　カメラ側信号入力端子
２０１、４０１、６０１　　ＤＣ／ＤＣコンバータ
２０２、４０２、６０２　　レンズマイコン
２０３、４０３、６０３　　アクチュエータ
２０５、４０５、６０５　　レンズ側信号入力端子
２０６、４０６、６０６　　レンズ側信号出力端子
【図１】
2004109692.tif 000003
【図２】
2004109692.tif 000004
【図３】
2004109692.tif 000005
【図４】
2004109692.tif 000006
【図５】
2004109692.tif 000007
【図６】
2004109692.tif 000008
【図７】
2004109692.tif 000009
【図８】
2004109692.tif 000010
【図９】
2004109692.tif 000011
【図１０】
2004109692.tif 000012